(57)【要約】【課題】コントラストの低下を抑制することが可能な画像処理装置を提供することにある。【解決手段】実施形態によれば、ユーザの頭部に装着される表示装置に画像を表示するための画像処理装置が提供される。画像処理装置は、入力部と、合成画像生成部と、演算部とを具備する。入力部は、第１表示パネルに表示される第１画像及び第２表示パネルに表示される第２画像を入力する。合成画像生成部は、第１画像及び第２画像を合成することによって第３画像を生成する。演算部は、第３画像に基づいて第１表示パネルに光を照射する第１照明部及び第２表示パネルに光を照射する第２照明部を駆動するための制御値を演算する。第１照明部は、制御値に基づいて第１表示パネルに光を照射する。第２照明部は、制御値に基づいて第２表示パネルに光を照射する。【選択図】図３
2020086381.tif 000002
【特許請求の範囲】
【請求項１】
ユーザの頭部に装着される表示装置に画像を表示するための画像処理装置において、
前記表示装置に設けられている前記ユーザの左眼用の第１表示パネルに表示される第１画像及び前記表示装置に設けられている前記ユーザの右眼用の第２表示パネルに表示される第２画像を入力する入力部と、
前記入力された第１画像及び第２画像を合成することによって第３画像を生成する合成画像生成部と、
前記生成された第３画像に基づいて、前記第１表示パネル及び前記第２表示パネルの少なくとも一部に光を照射するように、当該第１表示パネルに光を照射する第１照明部及び前記第２表示パネルに光を照射する第２照明部を駆動するための制御値を演算する演算部と
を具備し、
前記第１照明部は、前記演算された制御値に基づいて前記第１表示パネルに光を照射するように駆動し、
前記第２照明部は、前記演算された制御値に基づいて前記第２表示パネルに光を照射するように駆動する
画像処理装置。
【請求項２】
前記第１画像は、当該第１画像を構成する各画素で表現すべき色彩に関する第１画素値を含み、
前記第２画像は、当該第２画像を構成する各画素で表現すべき色彩に関する第２画素値を含み、
前記合成画像生成部は、前記第１画素値及び前記第２画素値を比較し、前記各画素において画素値が最大となる第３画像を生成する
請求項１記載の画像処理装置。
【請求項３】
前記合成画像生成部は、前記第１画素値によって規定される各画素の彩度及び前記第２画素値によって規定される各画素の彩度を比較し、当該各画素において彩度が最大となる第３画像を生成する請求項２記載の画像処理装置。
【請求項４】
前記合成画像生成部は、前記第１画素値によって規定される各画素の輝度及び前記第２画素値によって規定される各画素の輝度を比較し、当該各画素において輝度が最大となる第３画像を生成する請求項２記載の画像処理装置。
【請求項５】
前記第１画像は、当該第１画像を構成する各画素で表現すべき色彩に関する第１画素値を含み、
前記第２画像は、当該第２画像を構成する各画素で表現すべき色彩に関する第２画素値を含み、
前記合成画像生成部は、前記第１画素値及び前記第２画素値を比較し、前記各画素における画素値を当該第１画素値及び当該第２画素値の平均値とする第３画像を生成する
請求項１記載の画像処理装置。
【請求項６】
前記演算された制御値に基づいて前記第１画像を補正する第１補正部と、
前記演算された制御値に基づいて前記第２画像を補正する第２補正部と
を更に具備し、
前記第１表示パネルは、前記補正された第１画像を表示するように駆動し、
前記第２表示パネルは、前記補正された第２画像を表示するように駆動する
請求項１記載の画像処理装置。
【請求項７】
前記第１画像は、当該第１画像を構成する各画素で表現すべき色彩に関する第１画素値を含み、
前記第２画像は、当該第２画像を構成する各画素で表現すべき色彩に関する第２画素値を含み、
前記第１補正部は、前記演算された制御値に基づいて前記第１照明部によって前記第１表示パネルに光が照射された場合に、前記入力された第１画像に含まれる第１画素値に従った色彩が表現されるように、当該第１画素値を補正し、
前記第２補正部は、前記演算された制御値に基づいて前記第２照明部によって前記第２表示パネルに光が照射された場合に、前記入力された第２画像に含まれる第２画素値に従った色彩が表現されるように、当該第２画素値を補正し、
前記第１表示パネルは、前記第１画素値が補正された第１画像を表示するように駆動し、
前記第２表示パネルは、前記第２画素値が補正された第２画像を表示するように駆動する
請求項６記載の画像処理装置。
【請求項８】
ユーザの頭部に装着される表示装置に画像を表示するための画像処理装置において、
前記表示装置に設けられている表示パネルに並べて表示される前記ユーザの左眼用の第１画像及び当該ユーザの右眼用の第２画像を入力する入力部と、
前記入力された第１画像及び第２画像を合成することによって第３画像を生成する合成画像生成部と、
前記生成された第３画像に基づいて、前記表示パネルの少なくとも一部に光を照射するように、当該表示パネルに光を照射する照明部を駆動するための制御値を演算する演算部と
を具備し、
前記照明部は、前記演算された制御値に基づいて前記表示パネルに光を照射するように駆動する
画像処理装置。
【請求項９】
ユーザの頭部に装着される表示装置に画像を表示するための画像処理装置において、
前記表示装置に設けられている前記ユーザの左眼用の第１表示パネルに表示される第１画像及び前記表示装置に設けられている前記ユーザの右眼用の第２表示パネルに表示される第２画像を入力する入力部と、
前記入力された第１画像に基づいて、前記第１表示パネルの少なくとも一部に光を照射するように、当該第１表示パネルに光を照射する第１照明部を駆動するための第１制御値を演算する第１演算部と、
前記入力された第２画像に基づいて、前記第２表示パネルの少なくとも一部に光を照射するように、当該第２表示パネルに光を照射する第２照明部を駆動するための第２制御値を演算する第２演算部と、
前記演算された第１制御値及び前記演算された第２制御値を合成することによって第３制御値を生成する制御値生成部と
を具備し、
前記第１照明部は、前記生成された第３制御値に基づいて前記第１表示パネルに光を照射するように駆動する
前記第２照明部は、前記生成された第３制御値に基づいて前記第２表示パネルに光を照射するように駆動する
画像処理装置。
【発明の詳細な説明】
【技術分野】
【０００１】
本発明の実施形態は、画像処理装置に関する。
【背景技術】
【０００２】
近年では、ユーザの頭部に装着される表示装置（ＨＭＤ：Head Mount Display）を用いて例えば仮想現実（ＶＲ：Virtual Reality）を提供する技術が注目されている。
【０００３】
このような表示装置（以下、ヘッドマウントディスプレイと表記）は、当該ヘッドマウントディスプレイがユーザの頭部に装着された際に当該ユーザの眼前となる位置に設けられたディスプレイ（表示パネル）に画像が表示されるように構成されている。これにより、ヘッドマウントディスプレイを装着したユーザは、臨場感のある仮想現実空間を体験することができる。
【０００４】
ところで、上記したＶＲ向けのヘッドマウントディスプレイでは、例えば１０００ｐｐｉ以上の高い解像度を有すること及び応答速度が高速であることといった高いディスプレイ性能が要求される。
【０００５】
ヘッドマウントディスプレイに搭載されるディスプレイとしては例えば液晶ディスプレイ及び有機ＥＬディスプレイが用いられる場合が多いが、液晶ディスプレイは、解像度は高いが応答速度は有機ＥＬディスプレイと比較して低速である場合が多い。一方、有機ＥＬディスプレイは、応答速度は高速であるが解像度を上げることが困難である。
【０００６】
ここで、ヘッドマウントディスプレイに搭載されるディスプレイとして液晶ディスプレイを採用する場合、例えばＩＰＳ（In-Plane-Switching）方式等を採用することにより応答速度の高速化を実現することが可能である。
【０００７】
しかしながら、このような応答速度を高速化する構成の場合には、一般的にディスプレイに表示される画像のコントラストが低下する傾向がある。
【先行技術文献】
【特許文献】
【０００８】
【特許文献１】特開２０１３−１４０３２５号公報
【発明の概要】
【発明が解決しようとする課題】
【０００９】
そこで、本発明が解決しようとする課題は、ヘッドマウントディスプレイのような表示装置に表示される画像のコントラストの低下を抑制することが可能な画像処理装置を提供することにある。
【課題を解決するための手段】
【００１０】
実施形態によれば、ユーザの頭部に装着される表示装置に画像を表示するための画像処理装置が提供される。前記画像処理装置は、入力部と、合成画像生成部と、演算部とを具備する。前記入力部は、前記表示装置に設けられている前記ユーザの左眼用の第１表示パネルに表示される第１画像及び前記表示装置に設けられている前記ユーザの右眼用の第２表示パネルに表示される第２画像を入力する。前記合成画像生成部は、前記入力された第１画像及び第２画像を合成することによって第３画像を生成する。前記演算部は、前記生成された第３画像に基づいて、前記第１表示パネル及び前記第２表示パネルの少なくとも一部に光を照射するように、当該第１表示パネルに光を照射する第１照明部及び前記第２表示パネルに光を照射する第２照明部を駆動するための制御値を演算する。前記第１照明部は、前記演算された制御値に基づいて前記第１表示パネルに光を照射するように駆動する。前記第２照明部は、前記演算された制御値に基づいて前記第２表示パネルに光を照射するように駆動する。
【図面の簡単な説明】
【００１１】
【図１】実施形態に係る画像処理装置を備える表示装置の外観の一例を示す斜視図。
【図２】表示装置の構成の概要について説明するための図。
【図３】画像処理装置の機能構成の一例を示すブロック図。
【図４】画像処理装置の処理手順の一例を示すフローチャート。
【図５】画像処理装置の動作の一例について説明するための図。
【図６】バックライト制御値について説明するための図。
【図７】本実施形態の比較例について説明するための図。
【図８】表示装置が１つの表示パネルを備える場合における画像処理装置の動作の一例について説明するための図。
【図９】第１及び第２画像の各々から演算されたバックライト制御値を合成する構成について説明するための図。
【発明を実施するための形態】
【００１２】
以下、図面を参照して、実施形態について説明する。  
図１は、本実施形態に係る画像処理装置を備える表示装置の外観の一例を示す斜視図である。本実施形態において、表示装置は、ユーザの頭部に装着されて使用されるヘッドマウントディスプレイ（ＨＭＤ：Head Mount Display）を含む。このような表示装置は、当該表示装置を頭部に装着したユーザに対して、例えば仮想現実（ＶＲ：Virtual Reality）を提供するために用いられる。
【００１３】
図１に示すように、表示装置ＨＭＤには、表示パネル１１ａ（第１表示パネル）及び表示パネル１１ｂ（第２表示パネル）が設けられている。
【００１４】
表示パネル１１ａ及び１１ｂは、ユーザが表示装置ＨＭＤを頭部に装着した状態で当該ユーザの左眼及び右眼の眼前に位置するようにそれぞれ配置されている。本実施形態において、表示パネル１１ａ及び１１ｂは、液晶層を用いた液晶表示パネルであるものとする。
【００１５】
ここで、図２を参照して、表示装置ＨＭＤの構成の概要について説明する。表示装置ＨＭＤは、上記したように当該表示装置ＨＭＤを装着するユーザの左眼用の表示パネル１１ａ及び当該ユーザの右眼用の表示パネル１１ｂを備える。
【００１６】
表示パネル１１ａは、上記したように液晶表示パネルであり、例えば第１基板と、当該第１基板に対向配置された第２基板と、当該第１基板及び第２基板の間に形成された液晶層とを備える。
【００１７】
表示パネル１１ａの背面側（つまり、表示パネル１１ａの表示面の反対側）には、当該表示パネル１１ａを照明する照明具（表示パネル１１ａに光を照射する照明部）としてバックライトユニット１２ａが配置されている。バックライトユニット１２ａには、例えば複数の発光ダイオード（ＬＥＤ）が配置されているものとする。
【００１８】
なお、バックライトユニット１２ａは、例えば表示パネル１１ａの全面に対応する位置（つまり、表示パネル１１ａの直下）にＬＥＤが配置された直下型ＬＥＤバックライトであってもよいし、当該表示パネル１１ａの左右または上下等の端部に対応する位置にＬＥＤが配置されたエッジ型ＬＥＤバックライトであってもよい。
【００１９】
また、上記した表示パネル１１ａに備えられる例えば第１基板上には、当該表示パネル１１ａの駆動を制御する（表示パネル１１ａの表示動作を制御する）パネルドライバ１３ａが搭載されている。
【００２０】
一方、表示パネル１１ｂは、上記した表示パネル１１ａと同様に構成された液晶表示パネルであり、第１基板と、当該第１基板に対向配置された第２基板と、当該第１基板及び第２基板の間に形成された液晶層とを備える。
【００２１】
表示パネル１１ｂの背面側（つまり、表示パネル１１ｂの表示面の反対側）には、当該表示パネル１１ｂを照明する照明具（表示パネル１１ｂに光を照射する照明部）としてバックライトユニット１２ｂが配置されている。
【００２２】
バックライトユニット１２ｂは、上記したバックライトユニット１２ａと同様に、直下型ＬＥＤバックライトであってもよいし、エッジ型ＬＥＤバックライトであってもよい。
【００２３】
なお、表示パネル１１ｂに備えられる例えば第１基板上には、当該表示パネル１１ｂの駆動を制御する（表示パネル１１ｂの表示動作を制御する）パネルドライバ１３ｂが搭載されている。
【００２４】
また、図２に示すように、表示装置ＨＭＤにおいては、表示パネル１１ａ及び１１ｂの外部にホストコンピュータ２０が設けられている。ホストコンピュータ２０は、表示パネル１１ａ及び１１ｂに表示される画像を出力する。
【００２５】
ここで、本実施形態において、表示パネル１１ａに表示される画像は、左眼用の画像（ユーザの左眼で視認される画像）である。また、表示パネル１１ｂに表示される画像は、右眼用の画像（ユーザの右眼で視認される画像）である。なお、左眼用の画像及び右眼用の画像は、両目の視差を再現した互いに類似する画像である。このような左眼用の画像が表示パネル１１ａに表示され、右眼用の画像が表示パネル１１ｂに表示され、当該左眼用の画像及び右眼用の画像がユーザの左眼及び右眼で視認された場合には、ユーザは上記した仮想現実空間として立体的な空間（３次元空間）を把握することができる。
【００２６】
ところで、上記したように表示装置ＨＭＤがユーザに対して仮想現実を提供するような用途で用いられる（つまり、ＶＲ用のヘッドマウントディスプレイとして用いられる）場合、当該表示装置ＨＭＤには、高いディスプレイ性能が要求される。
【００２７】
そこで、本実施形態における表示パネル１１ａ及び１１ｂ（つまり、液晶表示パネル）においては、例えばＩＰＳ（In-Plane-Switching）方式を採用し、応答速度を向上させる構成を採用する。また、上記したように表示装置ＨＭＤにおいては至近距離から画像（映像）を視認するため、動画のぼけを低減する必要がある。これに対しては、例えば応答が完了したタイミングでバックライトを点灯させることにより、動画ぼけを改善する（残像感を抑制する）ことが可能なバックライトブリンキングと称される技術が表示装置ＨＭＤに適用されるものとする。
【００２８】
しかしながら、上記したように表示パネル１１ａ及び１１ｂとして液晶表示パネルを用いる場合、当該液晶表示パネルは、例えば有機ＥＬディスプレイ等と比較してコントラストが低い場合がある。
【００２９】
また、表示装置ＨＭＤにおいて上記した応答速度を向上させる構成を採用した場合には、当該表示装置ＨＭＤ（表示パネル１１ａ及び１１ｂ）に表示される画像のコントラストが低下する傾向がある。
【００３０】
このようなコントラストの低下を抑制するために、本実施形態においては、Ｌｏｃａｌ  Ｄｉｍｍｉｎｇと称される技術を用いる。このＬｏｃａｌ  Ｄｉｍｍｉｎｇは、バックライトユニットを部分的に駆動することによって液晶表示パネルにおけるコントラストの低下を改善するための技術である。
【００３１】
上記したＬｏｃａｌ  Ｄｉｍｍｉｎｇを用いた場合にはコントラストの低下を抑制することができるが、表示装置ＨＭＤにおいては例えば２５６０×２４４０以上と画素数が非常に多いため、Ｌｏｃａｌ  Ｄｉｍｍｉｎｇにおける演算負荷が高くなる。
【００３２】
そこで、本実施形態において、表示装置ＨＭＤは、Ｌｏｃａｌ  Ｄｉｍｍｉｇにおける演算負荷を低減するために画像処理装置３０を備えるものとする。
【００３３】
画像処理装置３０は、例えば表示パネル１１ａ及び１１ｂとホストコンピュータ２０との間に配置されたブリッジチップとして実現されている。
【００３４】
画像処理装置３０は、ホストコンピュータ２０と接続されており、当該ホストコンピュータ２０から出力された画像（左眼用の画像及び右眼用の画像）を用いて上記したＬｏｃａｌ  Ｄｉｍｍｉｎｇに関する処理を実行する。
【００３５】
また、画像処理装置３０は、上記したパネルドライバ１３ａ及び１３ｂと例えばＦＰＣ等を介して接続されている。画像処理装置３０は、Ｌｏｃａｌ  Ｄｉｍｍｉｎｇに関する処理が実行された後に、左眼用の画像及び右眼用の画像と、バックライトユニット１２ａ及び１２ｂを部分的に駆動するための制御値（以下、バックライト制御値と表記）とをパネルドライバ１３ａ及び１３ｂに出力する。
【００３６】
この場合、パネルドライバ１３ａは、画像処理装置３０から出力された左眼用の画像及びバックライト制御値を入力し、表示パネル１１ａ及びバックライトユニット１２ａの駆動を制御する。同様に、パネルドラバ１３ｂは、画像処理装置３０から出力された右眼用の画像及びバックライト制御値を入力し、表示パネル１１ｂ及びバックライトユニット１２ｂの駆動を制御する。
【００３７】
図３は、本実施形態に係る画像処理装置３０の機能構成の一例を示すブロック図である。図３に示すように、画像処理装置３０は、画像入力部３１、合成画像生成部３２、制御値演算部３３及び補正処理部３４を含む。
【００３８】
なお、本実施形態において画像処理装置３０は上記したようにチップとして実現されるものとして説明したが、当該画像処理装置３０に含まれる各部３１〜３４は、ハードウェアによって実現されてもよいし、ソフトウェアによって実現されてもよいし、ハードウェア及びソフトウェアの組み合わせ構成として実現されてもよい。
【００３９】
画像入力部３１は、表示パネル１１ａに表示される左眼用の画像及び表示パネル１１ｂに表示される右眼用の画像を入力する。
【００４０】
なお、画像入力部３１によって入力される左眼用の画像は、当該画像を構成する各画素で表現すべき色彩に関する画素値（第１画素値）を含む。同様に、画像入力部３１によって入力される右眼用の画像は、当該画像を構成する各画素で表現すべき色彩に関する画素値（第２画素値）を含む。
【００４１】
合成画像生成部３２は、画像入力部３１によって入力された左眼用の画像及び右眼用の画像を合成することによって合成画像（第３画像）を生成する。なお、合成画像は、上記した左眼用の画像及び右眼用の画像の各々に含まれる各画素の画素値に基づいて生成される。
【００４２】
制御値演算部３３は、合成画像生成部３２によって生成された合成画像に基づいて、上記したバックライト制御値を演算する。本実施形態において、バックライト制御値は、例えば表示パネル１１ａ及び１１ｂの少なくとも一部に光を照射するように、バックライトユニット１２ａ及び１２ｂを駆動する（バックライトユニット１２ａ及び１２ｂの駆動を制御する）ための制御値である。
【００４３】
補正処理部３４は、制御値演算部３３によって演算されたバックライト制御値に基づいて、画像入力部３１によって入力された左眼用の画像を補正する。また、補正処理部３４は、制御値演算部３３によって演算されたバックライト制御値に基づいて、画像入力部３１によって入力された右眼用の画像を補正する。
【００４４】
上記した制御値演算部３３によって演算されたバックライト制御値及び補正処理部３４によって補正された左眼用の画像は、画像処理装置３０からパネルドライバ１３ａに出力される。また、制御値演算部３３によって演算されたバックライト制御値及び補正処理部３４によって補正された右眼用の画像は、画像処理装置３０からパネルドライバ１３ｂに出力される。
【００４５】
次に、図４のフローチャートを参照して、本実施形態に係る画像処理装置３０の処理手順の一例について説明する。
【００４６】
ユーザが表示装置ＨＭＤを頭部に装着して使用する場合、当該表示装置ＨＭＤにおいては、例えばユーザの頭部の動き等に応じて変化する仮想現実空間に相当する映像が表示される。
【００４７】
以下に説明する画像処理装置３０の処理は、このように表示装置ＨＭＤにおいて表示される映像を構成する画像（フレーム）毎に実行される。
【００４８】
ここで、表示装置ＨＭＤにおいて表示される映像を構成する画像は、ホストコンピュータ２０から画像処理装置３０に出力される。なお、ホストコンピュータ２０から出力される画像には、表示装置ＨＭＤを装着するユーザの左眼用の表示パネル１１ａに表示される画像（以下、第１画像と表記）及び当該ユーザの右眼用の表示パネル１１ｂに表示される画像（以下、第２画像と表記）が含まれる。
【００４９】
上記したようにホストコンピュータ２０から画像処理装置３０に第１及び第２画像が出力された場合、画像入力部３１は、当該第１及び第２画像を入力する（ステップＳ１）。
【００５０】
次に、合成画像生成部３２は、ステップＳ１において入力された第１及び第２画像を合成することによって合成画像（第３画像）を生成する（ステップＳ２）。
【００５１】
ここで、上記したように、第１画像は当該第１画像を構成する各画素の画素値を含み、第２画像は当該第２画像を構成する各画素の画素値を含む。なお、各画素の画素値は、当該画素で表現すべき色彩に関する値（ＲＧＢ値等）であり、当該画素の彩度及び輝度等を規定するものである。また、第１及び第２画像は上記したように両目の視差を再現した互いに類似する画像であり、当該第１及び第２画像を構成する画素の数等は同一であるものとする。
【００５２】
この場合、ステップＳ２において、合成画像生成部３２は、合成画像として例えば最大画像を生成する。最大画像は、生成される画像（最大画像）を構成する各画素の画素値として、第１及び第２画像において対応する各画素の画素値のうちの最大値を用いた画像である。
【００５３】
具体的には、合成画像生成部３２は、例えば第１画像を構成する複数の画素のうちの１つの画素（以下、第１対象画素と表記）の画素値と、第２画像を構成する複数の画素のうちの第１対象画素に対応する位置に配置されている画素（以下、第２対象画素と表記）の画素値とを比較する。合成画像生成部３２は、第１対象画素の画素値と第２対象画素の画素値のうちより大きい画素値（つまり、対応する２つの画素値のうちの最大値）を、当該第１及び第２対象画素に対応する位置の画素（合成画像を構成する画素）の画素値として決定する。
【００５４】
合成画像生成部３２は、このような処理を、全ての画素について実行することによって、合成画像を生成することができる。
【００５５】
ここでは、単に第１及び第２画像において対応する各画素の画素値の最大値を用いて合成画像を生成するものとして説明したが、当該各画素の画素値によって規定される彩度（つまり、各画素の彩度）の最大値を用いて合成画像を生成してもよいし、当該各画素の画素値によって規定される輝度（つまり、各画素の輝度）の最大値を用いて合成画像を生成してもよい。
【００５６】
更に、第１及び第２画像において対応する各画素の画素値の最大値ではなく、当該各画素の画素値（、彩度または輝度）の平均値を用いて合成画像が生成されても構わない。
【００５７】
次に、制御値演算部３３は、ステップＳ２において生成された合成画像に基づいて、バックライト制御値を演算する（ステップＳ３）。なお、ステップＳ３において演算されるバックライト制御値は、例えば合成画像を表示するために必要な部分（表示パネル１１ａ及び１１ｂの少なくとも一部）に光を照射するようにバックライトユニット１２ａ及び１２ｂを駆動するための制御値である。
【００５８】
ここで、上記したステップＳ１において入力された画像（第１及び第２画像）に含まれる画素値は、例えばバックライトユニット１２ａ及び１２ｂに配置されている複数のＬＥＤが一律に光を照射している状態で表現される色彩の彩度及び輝度を規定したものである。
【００５９】
このため、バックライトユニット１２ａ及び１２ｂが上記したバックライト制御値に基づいて駆動している状態でステップＳ１において入力された画像に含まれる画素値に基づいて画像が表示された場合には、例えば表示すべき画像とは部分的に彩度または輝度が異なる画像が表示（視認）される可能性がある。
【００６０】
よって、補正処理部３４は、ステップＳ３において演算されたバックライト制御値に基づいて、ステップＳ１において入力された第１画像を補正する（ステップＳ４）。
【００６１】
なお、上記したように第１画像は当該第１画像を構成する各画素の画素値を含むが、ステップＳ４においては、当該各画素の画素値が補正される。具体的には、第１画像を構成する各画素の画素値は、ステップＳ３において演算されたバックライト制御値に基づいてバックライトユニット１２ａ（に配置されているＬＥＤ）から表示パネル１１ａに光が照射された場合に、ステップＳ１において入力された第１画像を構成する各画素の画素値に従った色彩が表現（視認）されるように補正される。
【００６２】
また、補正処理部３４は、ステップＳ３において演算されたバックライト制御値に基づいて、ステップＳ１において入力された第２画像を補正する（ステップＳ５）。
【００６３】
なお、ステップＳ５の処理はステップＳ４の処理に相当する処理である。すなわち、ステップＳ５において、第２画像を構成する各画素の画素値は、ステップＳ３において演算されたバックライト制御値に基づいてバックライトユニット１２ｂ（に配置されているＬＥＤ）から表示パネル１１ｂに光が照射された場合に、ステップＳ１において入力された第２画像を構成する各画素の画素値に従った色彩が表示（視認）されるように補正される。
【００６４】
換言すれば、ステップＳ４及びＳ５においては、バックライトユニット１２ａ及び１２ｂが一律に光を照射するように駆動している状態において各画素で表現される色彩と、当該バックライトユニット１２ａ及び１２ｂがバックライト制御値に基づいて部分的に光を照射するように駆動している（つまり、部分的に駆動している）状態において各画素で表現される色彩とが同一となるように、ステップＳ１において入力された第１及び第２画素に含まれる画素値が補正（変換）される。
【００６５】
ステップＳ４及びＳ５の処理が実行されると、ステップＳ３において演算されたバックライト制御値及びステップＳ４において補正された画素値を含む第１画像（つまり、補正後の第１画像）が画像処理装置３０からパネルドライバ１３ａに出力される（ステップＳ６）。
【００６６】
ステップＳ６の処理が実行された場合、パネルドライバ１３ａは、バックライト制御値に基づいてバックライトユニット１２ａの駆動を制御するとともに、補正後の第１画像を表示するように表示パネル１１ａの駆動を制御する。
【００６７】
また、ステップＳ３において演算されたバックライト制御値及びステップＳ５において補正された画素値を含む第２画像（つまり、補正後の第２画像）が画像処理装置３０からパネルドライバ１３ｂに出力される（ステップＳ７）。
【００６８】
ステップＳ７の処理が実行された場合、パネルドライバ１３ｂは、バックライト制御値に基づいてバックライトユニット１２ｂの駆動を制御するとともに、補正後の第２画像を表示するように表示パネル１１ｂの駆動を制御する。
【００６９】
なお、上記した補正後の第１画像及び補正後の第２画像は同時に表示パネル１１ａ及び１１ｂに表示される必要があるため、パネルドライバ１３ａ及び１３ｂは、例えば同期して動作するものとする。
【００７０】
ここで、図５を参照して、本実施形態に係る画像処理装置３０の動作の一例について説明する。
【００７１】
図５に示す例では、画像入力部３１は、第１画像１０１及び第２画像１０２を入力したものとする。図５に示すように、第１画像１０１及び第２画像１０２は、両目の視差を再現した互いに類似する画像である。
【００７２】
この場合、合成画像生成部３２は、第１画像１０１及び第２画像１０２から合成画像１０３を生成する（ステップＳ１１）。なお、合成画像１０３は、上記した最大画像であるものとする。
【００７３】
次に、制御値演算部３３は、合成画像１０３からバックライト制御値２０１を演算する（ステップＳ１２）。
【００７４】
ここで、図５においては、バックライト制御値２０１として例えばバックライトユニット１２ａ及び１２ｂに配置されている複数のＬＥＤのうち発光させる（点灯させる）ＬＥＤの位置が簡易的に示されているが、バックライト制御値２０１については、図６を参照してより詳細に説明する。
【００７５】
ここでは、バックライトユニット１２ａ及び１２ｂが上記した直下型ＬＥＤバックライトであり、当該バックライトユニット１２ａ及び１２ｂにおいて、例えば８行×６列で形成される４８個の各ブロック（セグメントエリア）にＬＥＤが配置されている場合を想定する。
【００７６】
この場合において、図５に示す合成画像１０３に基づいてバックライト制御値が演算された場合には、例えば図６に示すようなバックライト制御値２０１が得られるものとする。
【００７７】
具体的には、図５に示すように、中心付近に比較的彩度及び輝度が高い色彩の物体が表示され、当該物体の周辺に比較的彩度及び輝度が低い色彩の背景が表示される合成画像１０３の場合、上記した４８個のブロックのうちの物体が表示される位置に対応するブロックに配置されているＬＥＤを高い輝度（出力）で発光させ、背景が表示される位置に対応するブロックに配置されているＬＥＤを低い輝度（出力）で発光させるバックライト制御値２０１が演算される。
【００７８】
なお、図６において、各ブロックに付されている数値は、当該ブロックに配置されているＬＥＤを発光させる際の輝度（発光量）を表している。具体的には、例えば「１００」が付されているブロックに配置されているＬＥＤは最大の輝度（１００％の輝度）で発光させることを表しているものとする。また、例えば「６０」が付されているブロックに配置されているＬＥＤは最大の輝度に対する６０％の輝度で発光させることを表しているものとする。
【００７９】
すなわち、本実施形態においては、図６に示すように、合成画像１０３を構成する各画素において表現すべき色彩（当該各画素の画素値によって規定される彩度または輝度）を解析することによって、当該各画素に対応するブロック（ＬＥＤ）毎に異なるバックライト制御値（発光量）が演算される。
【００８０】
このようなバックライト制御値２０１によれば、バックライトユニット１２ａ及び１２ｂに配置されている複数のＬＥＤの各々の発光量を個別に制御することができる。
【００８１】
なお、図６はバックライト制御値２０１を概念的に説明するためのものであり、実際の態様に比べて模式的に表されている。すなわち、図６に示すバックライト制御値２０１（各ブロックに付された数値）は一例であるし、バックライトユニット１２ａ及び１２ｂに配置されるＬＥＤの数（ブロックの数）も異なっていてもよい。
【００８２】
再び図５に戻ると、上記したように制御値演算部３３によって演算されたバックライト制御値２０１は、パネルドライバ１３ａ及び１３ｂを介してバックライトユニット１２ａ及び１２ｂに出力される（ステップＳ１３）。
【００８３】
すなわち、本実施形態において、バックライトユニット１２ａ及び１２ｂは、合成画像１０３から演算された共通のバックライト制御値２０１に基づいて駆動する。換言すれば、本実施形態においては、左眼用及び右眼用の画像に対して同じバックライトコントロール（輝度分布）が適用される。
【００８４】
上記したように本実施形態においては、表示装置ＨＭＤに設けられている表示パネル１１ａ（ユーザの左眼用の第１表示パネル）に表示される第１画像（左眼用の画像）及び当該表示装置ＨＭＤに設けられている表示パネル１１ｂ（ユーザの右眼用の第２表示パネル）に表示される第２画像（右眼用の画像）を入力し、当該入力された第１画像及び第２画像を合成することによって合成画像（第３画像）を生成し、当該合成画像に基づいてバックライトユニット１２ａ（第１表示パネルに光を照射する第１照明部）及びバックライトユニット１２ｂ（第２表示パネルに光を照射する第２照明部）を駆動するためのバックライト制御値を演算する。本実施形態において、バックライトユニット１２ａ及び１２ｂは、演算されたバックライト制御値に基づいて駆動する。
【００８５】
本実施形態においては、このような構成により、Ｌｏｃａｌ  Ｄｉｍｍｉｎｇを用いる（バックライト制御値に基づいてバックライトユニット１２ａ及び１２ｂを駆動する）ことによって表示パネル１１ａ及び１１ｂにおけるコントラストの低下を抑制することが可能となる。
【００８６】
また、上記したようにＬｏｃａｌ  Ｄｉｍｍｉｎｇを用いた場合、例えば図７に示すように第１画像１０１及び第２画像１０２の各々から第１バックライト制御値２０１ａ及び第２バックライト制御値２０１ｂをそれぞれ演算する構成（以下、本実施形態の比較例と表記）が一般的であるが、当該比較例の場合には演算負荷が高くなる。
【００８７】
これに対して、本実施形態においては、表示パネル１１ａ及び１１ｂに表示される第１及び第２画像（左眼用及び右眼用の画像）が類似していることを利用し、合成画像からバックライト制御値を演算する構成を採用したため、上記した図７に示す本実施形態の比較例と比較してＬｏｃａｌ  Ｄｉｍｍｉｎｇにおける複雑な演算（バックライト制御値演算）にかかる負荷を低減することが可能となる。
【００８８】
また、本実施形態においては、例えば第１画像を構成する各画素の画素値（第１画素値）及び第２画像を構成する各画素の画素値（第２画素値）を比較し、各画素において画素値が最大となる合成画像が生成される。このような構成によれば、合成画像からバックライト制御値を演算し、当該バックライト制御値に基づいてバックライトユニット１２ａ及び１２ｂを駆動したとしても、第１及び第２画像の表示に必要な部分にはバックライトユニット１２ａ及び１２ｂ（に配置されているＬＥＤ）から表示パネル１１ａ及び１１ｂに対して光が照射されるため、当該表示パネル１１ａ及び１１ｂにおいて適切な画像が表示されなくなることを回避することができる。
【００８９】
なお、本実施形態においては、第１画像を構成する各画素の画素値によって規定される当該各画素の彩度及び第２画像を構成する各画素の画素値によって規定される当該各画素の彩度を比較し、各画素において彩度が最大となる合成画像が生成されてもよい。また、本実施形態においては、第１画像を構成する各画素の画素値によって規定される当該各画素の輝度及び第２画像を構成する各画素の画素値によって規定される当該各画素の輝度を比較し、各画素において輝度が最大となる合成画像が生成されてもよい。
【００９０】
また、本実施形態においては合成画像が最大画像（各画素の画素値、彩度または輝度の最大値を用いて生成される画像）であるものとして説明したが、当該合成画像は、各画素の画素値、彩度または輝度の平均値を用いて生成される画像であってもよい。
【００９１】
また、本実施形態においては、演算されたバックライト制御値に基づいて第１画像を補正し、当該バックライト制御値に基づいて第２画像を補正する。
【００９２】
この場合、バックライト制御値に基づいてバックライトユニット１２ａが駆動した（つまり、バックライトユニット１２ａによって表示パネル１１ａに光が照射された）場合に、第１画像に含まれる画素値に従った色彩が表現される（ユーザによって視認される）ように当該画素値が補正される。この場合、表示パネル１１ａは、画素値が補正された第１画像を表示するように駆動する。
【００９３】
同様に、バックライト制御値に基づいてバックライトユニット１２ｂが駆動した（つまり、バックライトユニット１２ｂによって表示パネル１１ｂに光が照射された）場合に、第２画像に含まれる画素値に従った色彩が表現される（ユーザによって視認される）ように当該画素値が補正される。この場合、表示パネル１１ｂは、画素値が補正された第２画像を表示するように駆動する。
【００９４】
このような構成によれば、バックライト制御値に基づいてバックライトユニット１２ａ及び１２ｂが駆動する（すなわち、バックライトユニット１２ａ及び１２ｂから照射される光量が変化した）場合であっても、当該バックライトユニット１２ａ及び１２ｂから照射される光（ＬＥＤの発光量）に応じて第１及び第２画像を構成する各画素の画素値を調整することによって、本来表示すべき画像と同様の画像を表示することが可能となる。
【００９５】
なお、本実施形態においては、表示装置ＨＭＤが左眼用及び右眼用の２つの表示パネル１１ａ及び１１ｂを備えるものとして説明したが、例えば表示装置ＨＭＤに備えられる表示パネルは１つであってもよい。
【００９６】
以下、図８を参照して、表示装置ＨＭＤが１つ（１枚）の表示パネルを備える構成である場合における画像処理装置３０の動作の一例について説明する。なお、図５と同様の部分には同一参照符号を付して、ここではその詳しい説明を省略する。
【００９７】
図８に示す例では、画像入力部３１は、第１画像１０１及び第２画像１０２を入力したものとする。
【００９８】
この場合、合成画像生成部３２は、第１画像１０１及び第２画像１０２から合成画像１０３を生成する（ステップＳ２１）。
【００９９】
次に、制御値演算部３３は、合成画像１０３からバックライト制御値２０１を演算する（ステップＳ２２）。
【０１００】
ここで、上記したように表示装置ＨＭＤが１つの表示パネルを備える構成の場合、当該表示パネルは上記した表示パネル１１ａ及び１１ｂを合わせたものと同程度のサイズを有しており、当該表示パネルの背面側には１つのバックライトユニット（当該表示パネルと同程度のサイズのバックライトユニット）が配置される。また、上記した第１画像１０１及び第２画像１０２は、１つの表示パネル内の例えば左眼用の領域及び右眼用の領域に並べて表示されるものとする。
【０１０１】
これに対して、上記したバックライト制御値２０１は表示パネルのサイズの半分の画像（第１画像１０１及び第２画像１０２の合成画像１０３）から演算されているため、当該バックライト制御値２０１では、上記したように表示パネルと同程度のサイズのバックライトユニットの駆動を制御することができない。
【０１０２】
そこで、上記したように合成画像１０３から演算されたバックライト制御値２０１は、第１画像１０１及び第２画像１０２の各々が表示される位置に対応するように展開される（ステップＳ２３）。これによれば、図８に示すように、第１画像１０１及び第２画像１０２が並べて表示パネルに表示されるのと同様に、上記したバックライト制御値２０１が並べられたものに相当するバックライト制御値２０２が得られる。
【０１０３】
上記したように展開されたバックライト制御値２０２は、表示パネルに搭載されているパネルドライバを介してバックライトユニットに出力される（ステップＳ２４）。
【０１０４】
上記した動作によれば、表示装置ＨＭＤが１つの表示パネルを備える構成であっても、Ｌｏｃａｌ  Ｄｉｍｍｉｎｇを用いることによって当該表示パネルにおけるコントラストの低下を抑制するとともに、当該Ｌｏｃａｌ  Ｄｉｍｍｉｎｇにおける演算負荷を低減することが可能となる。
【０１０５】
また、表示装置ＨＭＤが１つの表示パネルを備える構成の場合には、上記した表示装置ＨＭＤが２つの表示パネル１１ａ及び１１ｂを備える構成と比較して、表示パネルの枚数を削減することができるため、当該表示装置ＨＭＤのコストを削減することができる。
【０１０６】
なお、本実施形態に係る画像処理装置３０は上記した図５において説明したように動作するものとして説明したが、例えば図９に示すように、第１画像１０１及び第２画像１０２の各々から第１バックライト制御値２０１ａ（第１制御値）及び第２バックライト制御値２０１ｂ（第２制御値）をそれぞれ演算し、当該演算された第１バックライト制御値２０１ａ及び第２バックライト制御値２０１ｂから合成バックライト制御値２０３（第３制御値）を生成する構成としてもよい。この場合、バックライトユニット１２ａ及び１２ｂは、合成バックライト制御値２０３に基づいて駆動すればよい。
【０１０７】
このような構成によれば、画像処理装置３０が例えば図５において説明したように動作する場合と比較するとＬｏｃａｌ  Ｄｉｍｍｉｎｇにおける演算負荷（バックライト制御値演算の負荷）は増加するが、第１画像１０１及び第２画像１０２を補正する際に用いられるバックライト制御値を１つにまとめることが可能となる。このため、画像処理装置３０が図９に示すように動作する場合であっても、第１バックライト制御値２０１ａを用いて第１画像１０１を補正し、第２バックライト制御値２０１ｂを用いて第２画像１０２を補正する場合（すなわち、図７に示す比較例）と比べれば画像処理装置３０の負荷を低減することができる。
【０１０８】
なお、本実施形態においては、画像処理装置３０がブリッジチップとして実現され、例えば表示パネル１１ａ及び１１ｂとホストコンピュータ２０との間に配置されているものとして説明したが、画像処理装置３０は、例えばホストコンピュータ２０の内部に組み込まれていてもよい。
【０１０９】
また、本実施形態においてはパネルドライバ１３ａ及び１３ｂが表示パネル１１ａ及び１１ｂの各々に対して搭載されているものとして説明したが、例えば表示パネル１１ａ及び１１ｂは１つのパネルドライバによって駆動される構成であってもよい。この場合、画像処理装置３０は、表示パネル１１ａ及び１１ｂを駆動するパネルドライバに組み込まれていてもよい。
【０１１０】
以下、本実施形態に係る発明を付記する。  
［Ｃ１］  
ユーザの頭部に装着される表示装置に画像を表示するための画像処理装置において、  
前記表示装置に設けられている前記ユーザの左眼用の第１表示パネルに表示される第１画像及び前記表示装置に設けられている前記ユーザの右眼用の第２表示パネルに表示される第２画像を入力する入力部と、  
前記入力された第１画像及び第２画像を合成することによって第３画像を生成する合成画像生成部と、  
前記生成された第３画像に基づいて、前記第１表示パネル及び前記第２表示パネルの少なくとも一部に光を照射するように、当該第１表示パネルに光を照射する第１照明部及び前記第２表示パネルに光を照明する第２照明部を駆動するための制御値を演算する演算部と  
を具備し、
前記第１照明部は、前記演算された制御値に基づいて前記第１表示パネルに光を照射するように駆動し、  
前記第２照明部は、前記演算された制御値に基づいて前記第２表示パネルに光を照射するように駆動する  
画像処理装置。  
［Ｃ２］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記合成画像生成部は、前記第１画素値及び前記第２画素値を比較し、前記各画素において画素値が最大となる第３画像を生成する  
［Ｃ１］記載の画像処理装置。  
［Ｃ３］  
前記合成画像生成部は、前記第１画素値によって規定される各画素の彩度及び前記第２画素値によって規定される各画素の彩度を比較し、当該各画素において彩度が最大となる第３画像を生成する［Ｃ２］記載の画像処理装置。  
［Ｃ４］  
前記合成画像生成部は、前記第１画素値によって規定される各画素の輝度及び前記第２画素値によって規定される各画素の輝度を比較し、当該各画素において輝度が最大となる第３画像を生成する［Ｃ２］記載の画像処理装置。  
［Ｃ５］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記合成画像生成部は、前記第１画素値及び前記第２画素値を比較し、前記各画素における画素値を当該第１画素値及び当該第２画素値の平均値とする第３画像を生成する  
［Ｃ１］記載の画像処理装置。  
［Ｃ６］  
前記演算された制御値に基づいて前記第１画像を補正する第１補正部と、  
前記演算された制御値に基づいて前記第２画像を補正する第２補正部と  
を更に具備し、  
前記第１表示パネルは、前記補正された第１画像を表示するように駆動し、  
前記第２表示パネルは、前記補正された第２画像を表示するように駆動する  
［Ｃ１］記載の画像処理装置。  
［Ｃ７］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記第１補正部は、前記演算された制御値に基づいて前記第１照明部によって前記第１表示パネルに光が照射された場合に、前記入力された第１画像に含まれる第１画素値に従った色彩が表現されるように、当該第１画素値を補正し、  
前記第２補正部は、前記演算された制御値に基づいて前記第２照明部によって前記第２表示パネルに光が照射された場合に、前記入力された第２画像に含まれる第２画素値に従った色彩が表現されるように、当該第２画素値を補正し、  
前記第１表示パネルは、前記第１画素値が補正された第１画像を表示するように駆動し、  
前記第２表示パネルは、前記第２画素値が補正された第２画像を表示するように駆動する  
［Ｃ６］記載の画像処理装置。
［Ｃ８］  
ユーザの頭部に装着される表示装置に画像を表示するための画像処理装置において、  
前記表示装置に設けられている表示パネルに並べて表示される前記ユーザの左眼用の第１画像及び当該ユーザの右眼用の第２画像を入力する入力部と、  
前記入力された第１画像及び第２画像を合成することによって第３画像を生成する合成画像生成部と、  
前記生成された第３画像に基づいて、前記表示パネルの少なくとも一部に光を照射するように、当該表示パネルに光を照射する照明部を駆動するための制御値を演算する演算部と  
を具備し、  
前記照明部は、前記演算された制御値に基づいて前記表示パネルに光を照射するように駆動する  
画像処理装置。  
［Ｃ９］  
ユーザの頭部に装着される表示装置に画像を表示するための画像処理装置において、  
前記表示装置に設けられている前記ユーザの左眼用の第１表示パネルに表示される第１画像及び前記表示装置に設けられている前記ユーザの右眼用の第２表示パネルに表示される第２画像を入力する入力部と、  
前記入力された第１画像に基づいて、前記第１表示パネルの少なくとも一部に光を照射するように、当該第１表示パネルに光を照射する第１照明部を駆動するための第１制御値を演算する第１演算部と、  
前記入力された第２画像に基づいて、前記第２表示パネルの少なくとも一部に光を照射するように、当該第２表示パネルに光を照射する第２照明部を駆動するための第２制御値を演算する第２演算部と、  
前記演算された第１制御値及び前記演算された第２制御値を合成することによって第３制御値を生成する制御値生成部と  
を具備し、  
前記第１照明部は、前記生成された第３制御値に基づいて前記第１表示パネルに光を照射するように駆動する  
前記第２照明部は、前記生成された第３制御値に基づいて前記第２表示パネルに光を照射するように駆動する  
画像処理装置。
［Ｃ１０］  
ユーザの頭部に装着される表示装置において、  
前記表示装置に画像を表示するための画像処理装置と、  
前記ユーザの左眼用の第１表示パネルと、  
前記ユーザの右眼用の第２表示パネルと、  
前記第１表示パネルに光を照射する第１照明部と、  
前記第２表示パネルに光を照射する第２照明部と  
を具備し、
前記画像処理装置は、  
前記第１表示パネルに表示される第１画像及び前記第２表示パネルに表示される第２画像を入力する入力部と、  
前記入力された第１画像及び第２画像を合成することによって第３画像を生成する合成画像生成部と、  
前記生成された第３画像に基づいて、前記第１表示パネル及び前記第２表示パネルの少なくとも一部に光を照射するように、前記第１照明部及び前記第２照明部を駆動するための制御値を演算する演算部と  
を含み、
前記第１照明部は、前記演算された制御値に基づいて前記第１表示パネルに光を照射するように駆動し、  
前記第２照明部は、前記演算された制御値に基づいて前記第２表示パネルに光を照射するように駆動する  
表示装置。  
［Ｃ１１］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記合成画像生成部は、前記第１画素値及び前記第２画素値を比較し、前記各画素において画素値が最大となる第３画像を生成する  
［Ｃ１０］記載の表示装置。  
［Ｃ１２］  
前記合成画像生成部は、前記第１画素値によって規定される各画素の彩度及び前記第２画素値によって規定される各画素の彩度を比較し、当該各画素において彩度が最大となる第３画像を生成する［Ｃ１１］記載の表示装置。  
［Ｃ１３］  
前記合成画像生成部は、前記第１画素値によって規定される各画素の輝度及び前記第２画素値によって規定される各画素の輝度を比較し、当該各画素において輝度が最大となる第３画像を生成する［Ｃ１１］記載の表示装置。  
［Ｃ１４］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記合成画像生成部は、前記第１画素値及び前記第２画素値を比較し、前記各画素における画素値を当該第１画素値及び当該第２画素値の平均値とする第３画像を生成する  
［Ｃ１０］記載の表示装置。  
［Ｃ１５］  
前記演算された制御値に基づいて前記第１画像を補正する第１補正部と、  
前記演算された制御値に基づいて前記第２画像を補正する第２補正部と  
を更に具備し、  
前記第１表示パネルは、前記補正された第１画像を表示するように駆動し、  
前記第２表示パネルは、前記補正された第２画像を表示するように駆動する  
［Ｃ９］記載の表示装置。  
［Ｃ１６］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記第１補正部は、前記演算された制御値に基づいて前記第１照明部によって前記第１表示パネルに光が照射された場合に、前記入力された第１画像に含まれる第１画素値に従った色彩が表現されるように、当該第１画素値を補正し、  
前記第２補正部は、前記演算された制御値に基づいて前記第２照明部によって前記第２表示パネルに光が照射された場合に、前記入力された第２画像に含まれる第２画素値に従った色彩が表現されるように、当該第２画素値を補正し、  
前記第１表示パネルは、前記第１画素値が補正された第１画像を表示するように駆動し、  
前記第２表示パネルは、前記第２画素値が補正された第２画像を表示するように駆動する  
［Ｃ１５］記載の表示装置。  
［Ｃ１７］  
ユーザの頭部に装着される表示装置に画像を表示するための画像処理装置が実行する画像処理方法であって、  
前記表示装置に設けられている前記ユーザの左眼用の第１表示パネルに表示される第１画像及び前記表示装置に設けられている前記ユーザの右眼用の第２表示パネルに表示される第２画像を入力するステップと、  
前記入力された第１画像及び第２画像を合成することによって第３画像を生成するステップと、  
前記生成された第３画像に基づいて、前記第１表示パネル及び前記第２表示パネルの少なくとも一部に光を照射するように、当該第１表示パネルに光を照射する第１照明部及び前記第２表示パネルに光を照射する第２照明部を駆動するための制御値を演算するステップと  
を具備し、
前記第１照明部は、前記演算された制御値に基づいて前記第１表示パネルに光を照射するように駆動し、  
前記第２照明部は、前記演算された制御値に基づいて前記第２表示パネルに光を照射するように駆動する  
画像処理方法。  
［Ｃ１８］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記生成するステップは、前記第１画素値及び前記第２画素値を比較し、前記各画素において画素値が最大となる第３画像を生成するステップを含む  
［Ｃ１７］記載の画像処理方法。  
［Ｃ１９］  
前記生成するステップは、前記第１画素値によって規定される各画素の彩度及び前記第２画素値によって規定される各画素の彩度を比較し、当該各画素において彩度が最大となる第３画像を生成するステップを含む［Ｃ１８］記載の画像処理方法。  
［Ｃ２０］  
前記生成するステップは、前記第１画素値によって規定される各画素の輝度及び前記第２画素値によって規定される各画素の輝度を比較し、当該各画素において輝度が最大となる第３画像を生成するステップを含む［Ｃ１８］記載の画像処理方法。  
［Ｃ２１］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記生成するステップは、前記第１画素値及び前記第２画素値を比較し、前記各画素における画素値を当該第１画素値及び当該第２画素値の平均値とする第３画像を生成するステップを含む  
［Ｃ１７］記載の画像処理方法。  
［Ｃ２２］  
前記演算された制御値に基づいて前記第１画像を補正するステップと、  
前記演算された制御値に基づいて前記第２画像を補正するステップと  
を更に具備し、  
前記第１表示パネルは、前記補正された第１画像を表示するように駆動し、  
前記第２表示パネルは、前記補正された第２画像を表示するように駆動する  
［Ｃ１７］記載の画像処理方法。  
［Ｃ２３］  
前記第１画像は、当該第１画像を構成する各画素で表現すべき色彩に関する第１画素値を含み、  
前記第２画像は、当該第２画像を構成する各画素で表現すべき色彩に関する第２画素値を含み、  
前記第１画像を補正するステップは、前記演算された制御値に基づいて前記第１照明部によって前記第１表示パネルに光が照射された場合に、前記入力された第１画像に含まれる第１画素値に従った色彩が表現されるように、当該第１画素値を補正するステップを含み、  
前記第２画像を補正するステップは、前記演算された制御値に基づいて前記第２照明部によって前記第２表示パネルに光が照射された場合に、前記入力された第２画像に含まれる第２画素値に従った色彩が表現されるように、当該第２画素値を補正するステップを含み、  
前記第１表示パネルは、前記第１画素値が補正された第１画像を表示するように駆動し、  
前記第２表示パネルは、前記第２画素値が補正された第２画像を表示するように駆動する  
［Ｃ２２］記載の画像処理方法。
【０１１１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１１２】
ＨＭＤ…表示装置、１１ａ，１１ｂ…表示パネル（第１表示パネル、第２表示パネル）、１２ａ，１２ｂ…バックライトユニット（第１照明部、第２照明部）、１３ａ，１３ｂ…パネルドライバ、２０…ホストコンピュータ、３０…画像処理装置、３１…画像入力部、３２…合成画像生成部、３３…制御値演算部、３４…補正処理部。
【図１】
2020086381.tif 000003
【図２】
2020086381.tif 000004
【図３】
2020086381.tif 000005
【図４】
2020086381.tif 000006
【図５】
2020086381.tif 000007
【図６】
2020086381.tif 000008
【図７】
2020086381.tif 000009
【図８】
2020086381.tif 000010
【図９】
2020086381.tif 000011